(57)【特許請求の範囲】
【請求項１】
動画を読み込む読み込み手段と、
前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、
前記一覧表示画面に表示された複数の動画のサムネイルのうち、前記第２の大きさで表示されたサムネイルのみを一括して選択し、選択された第２の大きさで表示されたサムネイルが表す前記第２の動画を一括して削除する削除手段
とを有することを特徴とする表示制御装置。
【請求項２】
動画を読み込む読み込み手段と、
前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、
前記一覧表示画面に表示された複数の動画のサムネイルのうち、前記第２の大きさで表示されたサムネイルが表す前記第２の動画を連続して再生する再生手段
とを有することを特徴とする表示制御装置。
【請求項３】
動画を読み込む読み込み手段と、
前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、
前記一覧表示画面に表示された複数のサムネイルのうち、前記第１の大きさで表示されたサムネイルのみを順次選択し、他の大きさのサムネイルはジャンプする第１のジャンプ処理手段と、
前記一覧表示画面に表示された複数のサムネイルのうち、前記第２の大きさで表示されたサムネイルのみを順次選択し、他の大きさのサムネイルはジャンプする第２のジャンプ処理手段
とを有することを特徴とする表示制御装置。
【請求項４】
前記表示制御手段は、前記第１の大きさと前記第２の大きさとを含む３段階以上の異なるサイズのうち、動画の記録時間に応じて、記録時間が長いほど大きいサイズで動画のサムネイルを表示するように制御することを特徴とする請求項１乃至３のいずれか１項に記載の表示制御装置。
【請求項５】
前記表示制御手段は、前記第２の動画に対し前記第１の大きさのサムネイルの一部を切り出したものを前記第２の大きさのサムネイルとして表示するように制御することを特徴とする請求項１乃至４のいずれか１項に記載の表示制御装置。
【請求項６】
前記表示制御手段は、前記第２の動画に対し前記第１の大きさのサムネイルの画素を間引いたものを前記第２の大きさのサムネイルとして表示するように制御することを特徴とする請求項１乃至４のいずれか１項に記載の表示制御装置。
【請求項７】
動画を読み込む読み込みステップと、
前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、
前記一覧表示画面に表示された複数の動画のサムネイルのうち、前記第２の大きさで表示されたサムネイルのみを一括して選択し、選択された第２の大きさで表示されたサムネイルが表す前記第２の動画を一括して削除する削除ステップ
とを有することを特徴とする表示制御装置の制御方法。
【請求項８】
動画を読み込む読み込みステップと、
前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、
前記一覧表示画面に表示された複数の動画のサムネイルのうち、前記第２の大きさで表示されたサムネイルが表す前記第２の動画を連続して再生する再生ステップ
とを有することを特徴とする表示制御装置の制御方法。
【請求項９】
動画を読み込む読み込みステップと、
前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、
前記一覧表示画面に表示された複数のサムネイルのうち、前記第１の大きさで表示されたサムネイルのみを順次選択し、他の大きさのサムネイルはジャンプする第１のジャンプ処理ステップと、
前記一覧表示画面に表示された複数のサムネイルのうち、前記第２の大きさで表示されたサムネイルのみを順次選択し、他の大きさのサムネイルはジャンプする第２のジャンプ処理ステップ
とを有することを特徴とする表示制御装置の制御方法。
【請求項１０】
コンピュータを、請求項１乃至６のいずれか１項に記載された表示制御装置の各手段として機能させるためのプログラム。
【請求項１１】
コンピュータを、請求項１乃至６のいずれか１項に記載された表示装置の各手段として機能させるためのプログラムを格納したコンピュータが読み取り可能な記憶媒体。
【発明の詳細な説明】
【技術分野】
【０００１】
本発明は、表示制御装置、方法及びプログラム並びに記録媒体に関し、より具体的には、記録された動画の代表画像を一覧表示する動画再生装置における表示制御装置、方法及びプログラム並びに記録媒体に関する。
【背景技術】
【０００２】
【先行技術文献】
【特許文献】
【０００３】
【特許文献１】特開２００４−０７８４８４号公報
【０００４】
動画再生装置又は画像編集装置には、記録された複数の動画の各代表画像を縮小画像（サムネイル画像）として一覧表示するインデックス画面を表示するものがある。ユーザは、そのサムネイル画像をキー操作などによって選択して、再生対象又は編集対象を指定する。
【０００５】
この主の一覧表示では、所定数のサムネイル画像を一画面内に同じ大きさで並べて表示する。画面のサイズは限られているので、６枚を一覧する場合と、２４枚を一覧する場合とでは、後者のサムネイル画像が前者のそれより小さくなる。
【０００６】
できるだけサムネイル画像を大きく見せたいという要望から、画面内にその他の情報表示をするスペースが少ない場合が多く、各カットの記録時間表示なども省かれている場合が多い。
【０００７】
一方、一覧表示の別の例としてフォルダ覧表示があり、特許文献１には、フォルダ内のファイル数／データ量に基づいてフォルダアイコンの大きさを変更することが記載されている。この表示例では、フォルダ内のファイル数／データ量の数値表示がなくとも、その相対量をフォルダアイコンの大きさから推定できる。
【発明の概要】
【発明が解決しようとする課題】
【０００８】
従来例では、インデックス画面において、ユーザは、記録時間の長さの情報を得るには、記録時間の表示を読むしかない。例えば、６枚のサムネイル画像を一覧表示する例で、各サムネイル画像が示す記録動画の長さが全て１０分の場合、インデックス画面全体では、６０分の動画を示していることになる。他方、各サムネイル画像が示す記録動画の長さが全て４秒の場合、インデックス画面全体では、２４秒の動画を示していることになる。
【０００９】
従って、従来例で、記録時間の表示が省略される場合、ユーザは、インデックス画面上で、記録時間の長いカットと短いカットを判別できない。また、個々のカットの記録時間を具体的に確認するには、対応するサムネイル画像を選択した上で、記録時間の情報を表示させるしかなかった。
【００１０】
本発明は、このような不都合を解消する表示制御装置、方法及びプログラム、並びに、表示制御プログラムを格納した記録媒体を提示することを目的とする。
【課題を解決するための手段】
【００１１】
本発明に係る表示制御装置は、動画を読み込む読み込み手段と、前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、前記一覧表示画面に表示された複数の動画のサムネイルのうち、前記第２の大きさで表示されたサムネイルのみを一括して選択し、選択された第２の大きさで表示されたサムネイルが表す前記第２の動画を一括して削除する削除手段とを有することを特徴とする。
本発明に係る表示制御装置は、動画を読み込む読み込み手段と、前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、前記一覧表示画面に表示された複数の動画のサムネイルのうち、前記第２の大きさで表示されたサムネイルが表す前記第２の動画を連続して再生する再生手段とを有することを特徴とする。
本発明に係る表示制御装置は、動画を読み込む読み込み手段と、前記読み込み手段で読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御手段と、前記一覧表示画面に表示された複数のサムネイルのうち、前記第１の大きさで表示されたサムネイルのみを順次選択し、他の大きさのサムネイルはジャンプする第１のジャンプ操作手段と、前記一覧表示画面に表示された複数のサムネイルのうち、前記第２の大きさで表示されたサムネイルのみを順次選択し、他の大きさのサムネイルはジャンプする第２のジャンプ操作手段とを有することを特徴とする。
【００１２】
本発明に係る表示制御装置の制御方法は、動画を読み込む読み込みステップと、前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、前記一覧表示画面に表示された複数の動画のサムネイルのうち、前記第２の大きさで表示されたサムネイルのみを一括して選択し、選択された第２の大きさで表示されたサムネイルが表す前記第２の動画を一括して削除する削除ステップとを有することを特徴とする。
本発明に係る表示制御装置の制御方法は、動画を読み込む読み込みステップと、前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、前記一覧表示画面に表示された複数の動画のサムネイルのうち、前記第２の大きさで表示されたサムネイルが表す前記第２の動画を連続して再生する再生ステップとを有することを特徴とする。
本発明に係る表示制御装置の制御方法は、動画を読み込む読み込みステップと、前記読み込みステップで読み込み可能な複数の動画のサムネイルを一覧表示する一覧表示画面に、前記複数の動画のうち、記録時間が所定時間より長い第１の動画を表すサムネイルを第１の大きさで表示するとともに、前記複数の動画のうち、前記記録時間が前記所定時間以下である第２の動画を表すサムネイルを、前記第１の大きさより小さい第２の大きさで表示するように制御する表示制御ステップと、前記一覧表示画面に表示された複数のサムネイルのうち、前記第１の大きさで表示されたサムネイルのみを順次選択し、他の大きさのサムネイルはジャンプする第１のジャンプ処理ステップと、前記一覧表示画面に表示された複数のサムネイルのうち、前記第２の大きさで表示されたサムネイルのみを順次選択し、他の大きさのサムネイルはジャンプする第２のジャンプ処理ステップとを有することを特徴とする。
【発明の効果】
【００１５】
本発明によれば、短い動画カットがたくさんあっても、インデックス画面の記録時間に対する一覧性が向上する。
【図面の簡単な説明】
【００１６】
【図１】本発明の一実施例の概略構成ブロック図である。
【図２】本実施例により生成されるインデックス画面例である。
【図３】本実施例のインデックス画面表示生成フローチャートである。
【発明を実施するための形態】
【００１７】
以下、図面を参照して、本発明の実施例を詳細に説明する。
【実施例１】
【００１８】
図１は、本発明に係る表示制御装置の一実施例を組み込んだ画像再生装置の概略構成ブロック図を示す。
【００１９】
ＣＰＵ１０１は動画再生装置を全体的に制御する演算処理装置である。ＣＰＵ１０１は、操作入力部１０５等により入力されるユーザからの指示に従い、各種プログラムを実行し、表示部１０４の表示を制御する。ＲＯＭ（Ｒｅａｄ  Ｏｎｌｙ  Ｍｅｍｏｒｙ）１０２には、ＣＰＵ１０１の処理手順（例えば、動画再生装置の立ち上げ処理や基本入出力処理、後述する各処理プログラム）が格納されている。ＲＯＭ１０２には更に、表示用の文字データ及び画像データなどが格納されている。ＲＡＭ（Ｒａｎｄｏｍ  Ａｃｃｅｓｓ  Ｍｅｍｏｒｙ）１０３は、ＣＰＵ１０１のワークエリアとして使用される。
【００２０】
表示部１０４は、グラフィックユーザインターフェースとなって、後述する画像や表示アイテムを表示する。操作入力部１０５は、ユーザからの指示を受け付ける手段であり、ハードウエアとしての各種キー、表示部１０４に表示されるソフトウエアキー、又はリモートコントローラ等からなる。ユーザは、操作入力部１０５を使用することで、動画再生装置を操作できる。
【００２１】
動画記憶部１０６は、フラッシュメモリ、光ディスク、磁気ディスク又は光磁気ディスクなどから成り、画像のデータを読み書きできる。
【００２２】
画像処理部１０７は、ＣＰＵ１０１の指示により、動画記憶部１０６から読み出した動画データ並びにＲＯＭ１０２から読み出した文字データ及び画像データを合成して、表示部１０４に表示させる。
【００２３】
これらのＣＰＵ１０１、ＲＯＭ１０２、ＲＡＭ１０３、表示部１０４、操作入力部１０５、動画記憶部１０６及び画像処理部１０７は、内部バス１１１を介して相互に通信する。
【００２４】
本実施例では、動画の一覧表示画面であるインデックス画面に表示するサムネイル画像の大きさ又はサイズを、動画の長さ又は記録時間が長いほど大きくする。図２は、本実施例により生成されるインデックス画面の一例を示す。横並びに５つのサムネイル画像を並置し、これを上下に２列配置することを原則としつつ、各サムネイルの水平垂直のサイズを、記録時間が長いほど段階的に大きくする。座標Ｘ１は、最も左側に配置されるサムネイル画像の基準座標である。また、座標Ｙ１は１列目に配置されるサムネイル画像の上辺となる基準座標であり、座標Ｙ１は２列目に配置されるサムネイル画像の上辺となる基準座標である。すなわち、Ｙ座標は、１画面に複数の画像を行列に並べて表示する際の行数（段数）又は行を表す。Ｘ座標は、１画面に複数の画像を行列に並べて表示する際に列数又は列を表す。例えば、４行６列に表示した場合の３行目の２列目に表示された画像は、Ｙ座標＝３、Ｘ座標＝２として扱う。本実施例では、異なる行の列数は必ずしも一致しない。
【００２５】
図３は、本実施例によるインデックス画面表示生成フローチャートである。ＣＰＵ１０１が、ＲＯＭ１０２からロードされるプログラムソフトウエアを実行する。図３では、カットの記録時間を基準値（この例では、５秒）と比較して２段階のサイズでサムネイル画像を表示することとし、インデックス画面にサムネイルを画面左上から順に描画していく。記録時間が５秒を越える動画のサムネイルのサイズを、記録時間が５秒以下の動画のサムネイル画像のそれよりも縦横共に２倍にする。なお、ＣＰＵ１０１は、各カットに対して、後述する方法で決定されるサイズのサムネイル画像を生成するサムネイル画像生成手段又はサムネイル画像生成機能として機能する。
【００２６】
動画の記録時間が、先に表示すべきカットから順に、５分、４秒、４秒、４秒、４秒、４秒、５分、４秒、４秒、４秒である１０個のカットが動画記憶部１０６に記憶されているとする。
【００２７】
ＣＰＵ１０１は、一段目の基準Ｙ座標（＝Ｙ１）を設定し（Ｓ３０２）、１段目の最初のサムネイル画像の基準Ｘ座標（＝Ｘ１）を設定する(Ｓ３０３)。
【００２８】
次に、ＣＰＵ１０１は記録時間判定手段又は記録時間判定機能として、表示すべきカットの記録時間を基準値５秒と比較する(Ｓ３０４)。ＣＰＵ１０１は、記録時間が基準値５秒以下の場合（Ｓ３０４）、サイズを小と設定し（Ｓ３０９）、そうでない場合（Ｓ３０４）、サイズを大と設定する（Ｓ３０５）。１段目の最初のサムネイル画像に対応する記録時間が５分であるので、このサムネイル画像のサイズは、大になる。
【００２９】
通常、対応する動画カットの１フレーム目の画像を代表画像として、その代表画像のサイズを縮小して、大きいサイズ又は小さいサイズのサムネイル画像を生成する。または、一律に大きなサイズのサムネイル画像を生成した上で、そのサムネイル画像の一部を切り出したもの又は平均的に画素を間引いたものを、小サイズのサムネイル画像としてもよい。
【００３０】
ＣＰＵ１０１は、設定されているＸ座標に描画すべきサムネイル画像の横幅を加算した結果が、サムネイル表示可能領域を超えていないかどうかを判別する。(Ｓ３０６)。すなわち、ステップＳ３０５，Ｓ３０９でサイズを決定したサムネイル画像を、横に並べて表示可能かどうかを判別する。
【００３１】
表示可能な場合（Ｓ３０６）、ＣＰＵ１０１は、サムネイル画像表示手段又はサムネイル画像表示機能として、その座標に対応する表示部１０４の画面上の位置にサムネイルを描画する(Ｓ３０７)。すなわち、ＣＰＵ１０１は、一覧表示画面に複数の動画のサムネイル画像を表示させるサムネイル画像表示手段又はサムネイル画像表示機能として機能する。そして、ＣＰＵ１０１は、Ｘ座標に描画したサムネイル画像の幅と、その次のサムネイル画像との隙間分を加算して(Ｓ３０８)、次のカットの記録時間判別（Ｓ３０４）に戻る。
【００３２】
２つ以降の記録動画についても、同様に、ＣＰＵ１０１は、サイズを判別し（Ｓ３０４，Ｓ３０５，Ｓ３０９）、横並びの表示可能性（Ｓ３０６）を判別する。２つ目乃至５つ目の記録画像のサムネイル画像１−２〜１−５のサイズは小であり、図２に示すように、これらのサムネイル画像１−２〜１−５を１つ目と同じ段に横並びに表示できている。
【００３３】
６つ目のサムネイル画像のサイズは小になるが、表示可能性の判別（Ｓ３０６）で、１段目に表示不能となる（Ｓ３０６）。このとき、２段目になっていないので（Ｓ３１０）、ＣＰＵ１０１は、段数を２とし、２段目の基準Ｙ座標（＝Ｙ２）を設定する（Ｓ３１２）。そして、ＣＰＵ１０１は、１段目の最初のサムネイル画像１−１の基準Ｘ座標（＝Ｘ１）を設定する(Ｓ３０３)。ＣＰＵ１０１は、６つ目のサムネイル画像１−６を、表示部１０４の、２段目の設定された位置に表示する。以後、同様に、７つ目以降のサムネイル画像１−７〜１−１０について、サイズを判別し、横並びに表示する。２段目の２つ目のサムネイル画像１−７は、記録時間が５分で、基準時間５秒を越えるので、サイズが大になる。
【００３４】
２段目について、表示可能で無くなれば（Ｓ３０６、Ｓ３１０）、ＣＰＵ１０１は、インデックス画面の生成処理を終了する。
【００３５】
記録時間の短い動画のサムネイル画像を、相対的に小さいサイズで表示することで、１画面により多くのサムネイル画像を表示できる。サムネイル画像のサイズで記録時間の長短を概略的に認識可能となり、記録時間に対する一覧性が向上する。すなわち、あまり重要でないと思われる短いカットを小さく表示し、その分多くのカットを１画面に表示することができるので、一覧性が向上する。また、記録時間の長いカットのほうを短いカットに比べて大きく表示しているので、短いカットに比べて重要なカットであると想定される長いカットのほうがより詳細にサムネイルを確認可能である。
【００３６】
さらに、インデックス画面のサムネイルを見るだけで、その動画が５秒以下の短いカットか、それより長いカットか判別することが可能になった。また、各動画カットの記録時間表示をせずに、記録時間の長いカットと短いカットを判別可能となる。
【００３７】
サムネイル画像のサイズを２段階で制御する例を説明したが、カットの記録時間をより細かく分類し、サムネイル画像のサイズの段階数を増やしもよい。こうすることで、より細かくカットの記録時間を認識しやすくなる。
【００３８】
横方向の表示位置（Ｘ座標）をサムネイル画像のサイズに応じて変更したが、同様に縦方向の表示位置（Ｙ座標）をサムネイル画像のサイズに応じて変更してもよい。もちろん、両方の表示位置を変更しても良い。
【００３９】
インデックス画面において、以下の機能を提供してもよい。すなわち、小さいサムネイル（短いカット）のみを全て、又は、大きいサムネイル（長いカット）のみを全て選択可能とする。そして、選択したカットに対し、削除、保護（プロテクト）、お気に入り度や分類情報などの属性情報付加、印刷指定、送信指定、連続再生等の各種操作を行えるようにする。
【００４０】
小さいサムネイル（短いカット）のみを全て削除可能とする。数秒のカットは、静止画撮影モードと間違えて撮影したり、撮影のタイミングを間違えたなどの理由により不要なカットであることが多いことが想定されるからであえる。そのため、小さいサムネイルのみ選択して削除する機能を提供することで、不要と考えられる短いカットを一括して削除することが可能となり、利便性が向上する。
【００４１】
小さいサムネイル（短いカット）のみを連続再生する。短いカットを一つ一つ再生すると、短いためすぐに再生が終了してしまうが、連続再生をデフォルトとすることで、このような面倒が無くなる。複数カットを視聴するには何度も再生指示が必要だが、この機能を提供することでこの手間を省くことができる。短ければ連続してもすぐ見終わる。
【００４２】
所定サイズのサムネイルのみを順次選択するジャンプ選択ボタンを設ける。たとえば、大きいサムネイルのみを順次選択する大きいサムネイルジャンプボタンと、小さいサムネイルのみを順次選択する小さいサムネイルジャンプボタンを設ける。
【００４３】
上記実施例は、その機能の一部又は全部をコンピュータ（ＣＰＵ）上のプログラムにより実現することができ、そのようなプログラム、例えば、表示制御プログラムは、ＣＤ−ＲＯＭその他の記録媒体により搬送され、インストールされうる。
【００４４】
本発明は、以下の処理を実行することによっても実現される。即ち、上述した実施例の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005566120.tif 000002
【図２】
0005566120.tif 000003
【図３】
0005566120.tif 000004